(57)【要約】【課題】ユーザにとって使い勝手の良い待機画面を表示させることが可能な機能実行装置を提供する。【解決手段】機能実行装置は、複数の機能を実行可能である。表示部に表示される待機画面には、機能を選択するための機能ボタン１０１〜１０５が機能毎に個別に表示される。ユーザは、待機画面において所望の機能ボタンを選択することで、その機能を実行させることができる。機能実行装置において実行される、機能の使用頻度に関するアンケートに、ユーザが答えることで、待機画面を、そのアンケート結果に応じた内容のカスタム待機画面１００に設定することができる。【選択図】図６
2015228087.tif 000002
【特許請求の範囲】
【請求項１】
画像を表示可能な表示部と、
入力部と、
複数の機能を実行可能な制御部と、
を備え、
前記制御部は、
前記複数の機能毎にそれら各機能を示す機能画像が配列された待機画面を前記表示部に表示させる表示制御処理と、
前記複数の機能毎にそれら各機能の使用頻度を問い合わせる問合せ処理と、
前記問合せ処理に対する、前記使用頻度を示す情報である頻度情報を、前記機能毎に前記入力部から取得する頻度取得処理と、
前記待機画面を、前記頻度情報に基づいて前記機能画像が配列された第１画面に決定する第１決定処理と、
を実行し、
前記表示制御処理は、前記第１決定処理により前記第１画面に決定された場合、前記待機画面として前記第１画面を前記表示部に表示させる
ことを特徴とする機能実行装置。
【請求項２】
請求項１に記載の機能実行装置であって、
前記問合せ処理では、少なくとも、前記機能毎にその機能を使用するか否かの問い合わせを行う
ことを特徴とする機能実行装置。
【請求項３】
請求項１又は請求項２に記載の機能実行装置であって、
前記制御部は、
前記頻度取得処理により取得された前記頻度情報に基づいて、前記機能毎に優先度を設定する設定処理を実行し、
前記第１画面は、前記設定処理により設定された前記優先度が高い順に前記機能画像が配列された画面である
ことを特徴とする機能実行装置。
【請求項４】
請求項１〜請求項３の何れか１項に記載の機能実行装置であって、
前記第１画面は、前記頻度取得処理により取得された前記頻度情報として何れかの前記機能についてその機能を使用しないことを示す情報が含まれていた場合、その機能の前記機能画像の表示が制限された画面である
ことを特徴とする機能実行装置。
【請求項５】
請求項１〜請求項４の何れか１項に記載の機能実行装置であって、
前記制御部は、
前記待機画面として前記機能毎の前記機能画像が特定の標準配列順で配列された第２画面を前記表示部に表示させるための標準化指示を取得する標準化指示処理と、
前記標準化指示処理により前記標準化指示が取得された場合、前記待機画面を、前記機能画像が前記標準配列順に配列された第２画面に決定する第２決定処理と、
を実行し、
前記表示制御処理は、前記第２決定処理により前記第２画面に決定された場合、前記待機画面として前記第２画面を前記表示部に表示させる
ことを特徴とする機能実行装置。
【請求項６】
請求項５に記載の機能実行装置であって、
前記制御部は、
前記待機画面を前記第２画面から前記第１画面に切り替えるための切替指示を取得する切替指示処理と、
前記切替指示処理により前記切替指示が取得された場合、前記待機画面を前記第１画面に切り替える表示切替処理と、
を実行し、
前記表示制御処理は、前記表示切替処理により前記待機画面が前記第１画面に切り替えられた場合、前記第１画面を前記表示部に表示させる
ことを特徴とする機能実行装置。
【請求項７】
請求項１〜請求項６の何れか１項に記載の機能実行装置であって、
前記制御部が前記複数の機能を実行するための機能プログラムが記憶された記憶部、
を備え、
前記制御部は、
前記待機画面に表示されている前記機能画像のうち特定の機能画像が選択された場合にその選択された機能画像に対応した機能を前記記憶部の前記機能プログラムに基づいて実行する機能実行処理を実行し、
前記機能実行処理では、前記待機画面に表示されている前記機能画像の何れかが選択された場合、その選択された前記機能画像の機能に対応した特定の機能実行画面を前記表示部に表示させ、
前記頻度取得処理により取得された前記頻度情報が、前記複数の機能のうち何れか１つのみ使用することを示す情報であった場合、前記表示制御処理では、前記第１画面として、その使用する１つの機能に対応した前記機能実行画面を前記表示部に表示させる
ことを特徴とする機能実行装置。
【請求項８】
請求項１〜請求項７の何れか１項に記載の機能実行装置であって、
前記制御部は、
当該機能実行装置に電源が投入されて初めて使用が開始される初期起動時に特定の初期処理を実行し、その初期処理の１つに前記問合せ処理が含まれている
ことを特徴とする機能実行装置。
【請求項９】
請求項１〜請求項８の何れか１項に記載の機能実行装置であって、
前記制御部は、
前記問合せ処理を実行させるための問合せ要求を取得する要求取得処理を実行し、
前記要求取得処理により前記問合せ要求が取得された場合、前記問合せ処理を実行する
ことを特徴とする機能実行装置。
【請求項１０】
複数の機能を実行可能であって表示部を備えた機能実行装置において用いられる表示制御方法であって、
前記複数の機能毎にそれら各機能を示す機能画像が配列された待機画面を前記表示部に表示させる表示制御ステップと、
前記複数の機能毎にそれら各機能の使用頻度を問い合わせる問合せステップと、
前記問合せステップに対する、前記使用頻度を示す情報である頻度情報を、前記機能毎に取得する頻度取得ステップと、
前記待機画面を、前記頻度情報に基づいて前記機能画像が配列された第１画面に決定する決定ステップと、
を実行し、
前記表示制御ステップは、前記決定ステップにより前記第１画面に決定された場合、前記待機画面として前記第１画面を前記表示部に表示させる
ことを特徴とする表示制御方法。
【発明の詳細な説明】
【技術分野】
【０００１】
本発明は、複数の機能を選択的に実行可能な機能実行装置、及びその機能実行装置で用いられる表示制御方法に関する。
【背景技術】
【０００２】
例えばスキャン機能、コピー機能、ファクシミリ機能などの複数の機能を選択的に実行可能な機能実行装置が普及している。このような機能実行装置では、一般に、機能が実行されていない期間中は表示部に待機画面が表示される。待機画面の内容としては、使用可能な複数の機能毎にそれら各機能を示すアイコン（以下「機能ボタン」ともいう）が配列された内容が一般的である（例えば、特許文献１参照。）。
【先行技術文献】
【特許文献】
【０００３】
【特許文献１】特開２００５−１９７９７８号公報
【発明の概要】
【発明が解決しようとする課題】
【０００４】
しかし、使用可能な機能ボタンが常に一覧表示される従来の待機画面では、機能が多ければ多いほど機能ボタンの数も増えるため、所望の機能を探しにくくなる。特に、表示部の表示領域が小さくて全ての機能ボタンを同時に表示させることができない場合は、所望のボタンを探すために、画面をスクロールさせたりページを切り替えたりするなどの操作を行う必要が生じる。
【０００５】
そのため、従来の待機画面は、複数の機能のうち一部の機能しか使用しないユーザや、機器の操作に不慣れなユーザなどにとっては、操作性、使い勝手の悪いユーザインタフェースとなっている。
【０００６】
本発明は上記課題に鑑みなされたものであり、ユーザにとって使い勝手の良い待機画面を表示させることが可能な機能実行装置を提供することを目的とする。
【課題を解決するための手段】
【０００７】
上記課題を解決するためになされた本発明は、画像を表示可能な表示部と、入力部と、複数の機能を実行可能な制御部とを備えた機能実行装置である。制御部は、表示制御処理と、問合せ処理と、頻度取得処理と、第１決定処理とを実行する。
【０００８】
表示制御処理は、複数の機能毎にそれら各機能を示す機能画像が配列された待機画面を表示部に表示させる処理である。問合せ処理は、複数の機能毎にそれら各機能の使用頻度を問い合わせる処理である。頻度取得処理は、問合せ処理に対する、使用頻度を示す情報である頻度情報を機能毎に入力部から取得する処理である。第１決定処理は、待機画面を、頻度情報に基づいて機能画像が配列された第１画面に決定する処理である。そして、表示制御処理は、第１決定処理により第１画面に決定された場合、待機画面として第１画面を表示部に表示させる。
【０００９】
このような構成の機能実行装置では、各機能の使用頻度の問い合わせが行われ、待機画面が、その問合せに対して取得された頻度情報に基づいて各機能画像が配列された第１画面に決定される。そして、待機画面として、その決定された第１画面が表示される。
【００１０】
第１画面は、機能毎の使用頻度の問い合わせ結果（頻度情報）が反映された待機画面である。そのため、本発明の機能実行装置によれば、ユーザの使用頻度が反映された、ユーザにとって使い勝手の良い待機画面を表示させることが可能となる。
【００１１】
なお、本発明は、上述した機能実行装置の他、機能実行装置を構成要素とする各種システム、機能実行装置を構成する各手段としてコンピュータを機能させるためのプログラム、方法など、種々の形態で実現することができる。
【図面の簡単な説明】
【００１２】
【図１】複合機の概略構成を示す説明図であり、（ａ）はブロック図、（ｂ）は操作パネル部１７の外観図である。
【図２】デフォルト待機画面を示す説明図である。
【図３】デフォルト待機画面から遷移するメニュー画面を示す説明図である。
【図４】（ａ）は機能実行画面を示す説明図、（ｂ）は設定変更画面を示す説明図である。
【図５】（ａ）はアンケート画面を示す説明図、（ｂ）は詳細問合せ画面を示す説明図である。
【図６】カスタム待機画面を示す説明図である。
【図７】カスタム待機画面から遷移するメニュー画面の説明図である。
【図８】アンケート処理を示すフローチャートである。
【図９】図８におけるＳ１４０のアンケート実行処理の詳細を示すフローチャートである。
【図１０】図８におけるＳ１５０のアンケート結果適用処理の詳細を示すフローチャートである。
【発明を実施するための形態】
【００１３】
以下に、本発明の好適な実施形態を図面に基づいて説明する。
（１）複合機の構成
本実施形態の複合機１は、図１（ａ）に示すように、ＣＰＵ１１、ＲＯＭ１２、ＲＡＭ１３、ＮＶＲＡＭ１４、画像読取部１５、画像形成部１６、操作パネル部１７、メモリカードインタフェース（以下「メモリカードＩ／Ｆ」と略す）１８、ネットワーク通信部１９、及び電話通信部２０を備えている。
【００１４】
ＣＰＵ１１は、ＲＯＭ１２及びＮＶＲＡＭ１４に記憶されている各種プログラムに従って複合機１内の各部の制御を実行する。ＲＡＭ１３は、各種の情報を記憶するワークエリアや画像データを記憶するメインメモリ等として利用される。ＮＶＲＡＭ（Non Volatile RAM）１４は、記憶内容を電気的に書き換え可能な不揮発性メモリであり、ファームウェアや各種設定値、各種プログラム、各種データ等が記憶される。
【００１５】
画像読取部１５は、原稿の画像をイメージセンサで読み取ってその画像を表す画像データを生成することができる。画像形成部１６は、シート状の被記録媒体（例えば記録用紙）に対して画像を印刷することができる。メモリカードＩ／Ｆ１８は、各種のメモリカードが装着されるインタフェースであり、メモリカードに対するデータの書き込み又は読み出しを制御する。ネットワーク通信部１９は、ネットワークインタフェースカードを有し、特定の通信方式による外部装置とのデータ通信を行う。電話通信部２０は、モデムを有し、電話回線（図示略）を介して電話やファクシミリ通信を行う際に利用される。
【００１６】
操作パネル部１７は、液晶ディスプレイ２１、タッチパネル２２、及び内照式表示部２３を有し、これら三者が図１（ｂ）に示すように配置されている。液晶ディスプレイ２１には、複合機１の機能や動作状態等の各種情報が表示される。なお、液晶ディスプレイのことを、以下、「ＬＣＤ」と略称する。
【００１７】
タッチパネル２２は、指やタッチペンなどの指示体による接触（押下）操作を検出可能な透明なフィルム状の入力デバイスである。タッチパネル２２は、ＬＣＤ２１及び内照式表示部２３の表示面に重ねて（一体的に）配置されている。タッチパネル２２を介して検出可能な接触操作として、本実施形態では、少なくとも、タップ、スワイプ、及びフリックがある。
【００１８】
内照式表示部２３は、テンキーやその他の操作用ボタンを示す画像が表示される部分である。各種操作用ボタンの１つとして、図１（ｂ）に示すように、ホームキー２４がある。ホームキー２４を押下すると、ＬＣＤ２１に待機画面を表示させることができる。
【００１９】
なお、待機画面は、複合機１が操作されていない特定の待機状態のときに表示される画面である。複合機１の起動後、ユーザにより何らかの操作が行われるか、又は外部からファクスのデータが受信されるまでは、複合機１は待機状態となって、ＬＣＤ２１には待機画面が表示される。待機状態中、ユーザにより何らかの操作が行われるか、又は外部からファクスのデータが受信されるなどして、待機状態の解除要因が発生すると、待機状態が解除され、ＬＣＤ２１の画面は解除要因に応じた画面に切り替わる。その後、ユーザによる操作が一定時間以上行われなくなったり、解除要因に基づく必要な処理が終了したりすることによって、特定の待機条件が成立すると、ＬＣＤ２１の画面は再び待機画面に戻る。また、待機画面とは異なる画面が表示されている場合も、ホームキー２４を押下することで待機画面に戻すことができる。
【００２０】
本実施形態では、待機画面の種類として、大きく分類して、デフォルト待機画面３０（図２参照）と、カスタム待機画面１００（図６参照）がある。どのような場合にどちらの待機画面が表示されるのかについては、後で説明する。
【００２１】
複合機１は、主な機能として、ファクス機能、コピー機能、スキャン機能、デジカメプリント機能、クラウド機能、及びレーベルプリント機能を備えている。これら各機能は、ＣＰＵ１１がＲＯＭ１２又はＮＶＲＡＭ１４の少なくとも一方に記憶されている機能プログラムを実行することにより実現される。
【００２２】
ファクス機能は、ファクシミリデータの送受信を行う機能である。ファクス機能により、ファクシミリデータを電話通信部２０を介して外部から受信して、その内容をＬＣＤ２１に表示させたり画像形成部１６にて印刷させたりすりことができる。また、ファクス機能により、原稿の画像を画像読取部１５で読み取らせてその画像データをファクシミリデータとして電話通信部２０を介して外部へ送信することができる。
【００２３】
コピー機能は、原稿の画像を画像読取部１５で読み取らせ、その読み取った画像を画像形成部１６にて印刷出力させる機能である。
スキャン機能は、原稿の画像を画像読取部１５で読み取らせ、その読み取った画像の画像データを種々の出力方法にて出力する機能である。スキャン機能における画像データの出力方法としては、メモリカードＩ／Ｆ１８に装着されているメモリカードに出力する（詳しくは記憶させる）方法、ネットワーク通信部１９を介して外部に送信する方法などがある。
【００２４】
デジカメプリント機能は、デジタルカメラで撮影した画像が保存されているメモリカードがメモリカードＩ／Ｆ１８に装着された場合に、そのメモリカードに保存されている画像を画像形成部１６にて印刷させる機能である。
【００２５】
クラウド機能は、写真や書類のアップロードができるウェブサービスに、画像読取部１５で読み取った原稿の画像をアップロードしたり、すでにこれらのサービスにアップロードされている画像をダウンロードして画像形成部１６で印刷させたりすることができる機能である。画像や書類のアップロード、ダウンロードは、主に、ネットワーク通信部１９を介して行われる。
【００２６】
レーベルプリント機能は、ＣＤやＤＶＤなどのディスク状記憶媒体のレーベル面に所望の画像を印刷させることが可能な機能である。
（２）デフォルト待機画面の説明
待機画面の１つである、デフォルト待機画面３０について、図２を用いて説明する。本実施形態の複合機１では、後述するように、ユーザによって待機画面をカスタマイズすることができる。ユーザによる待機画面のカスタマイズは、直接的には、後述するように、複合機１がユーザに対してアンケートを実行し、その実行結果に基づいて複合機１が実行する。
【００２７】
ユーザによるカスタマイズが行われていない標準的な待機画面が、デフォルト待機画面３０である。これに対し、ユーザへのアンケート結果に基づくカスタマイズが行われた待機画面が、カスタム待機画面１００（図６参照）である。
【００２８】
図２に示すように、デフォルト待機画面３０には、既述の６種類の主機能を含む、複合機１が備える特定の８種類の機能に対応した機能ボタン３１〜３８が表示される。複数の機能ボタン３１〜３８は、より詳しくは、ファクスボタン３１、コピーボタン３２、スキャンボタン３３、デジカメプリントボタン３４、クラウドボタン３５、レーベルプリントボタン３６、Ａ３コピーボタン３７、及び年賀状アプリボタン３８であり、これら８つの機能ボタンが上記の順番（以下「標準配列順」という）にて左から右方向へと横方向に配列されている。
【００２９】
ただし、本実施形態では、ＬＣＤ２１に同時に表示可能な機能ボタンの数は最大３つである。そのため、待機画面の表示開始時には、図２の上段に示す第１のデフォルト待機画面３０ａが表示される。この第１のデフォルト待機画面３０ａには、各機能ボタン３１〜３８のうち標準配列順の１番目から３番目までの３つの機能ボタン３１〜３３（つまりファクスボタン３１、コピーボタン３２、及びスキャンボタン３３）が表示される。
【００３０】
デフォルト待機画面３０には、その右端に、画面を左方向にスクロールさせるための左スクロールボタン４３が表示され、左端に、画面を右方向にスクロールさせるための右スクロールボタン４２が表示される。
【００３１】
第１のデフォルト待機画面３０ａが表示されている状態で、左スクロールボタン４３をタップすると、各機能ボタン３１〜３８の表示内容が左方向にスクロール（厳密には、機能ボタンが３つ左方向へずれるようにスクロール）して、図２の中段に示す第２のデフォルト待機画面３０ｂに切り替わる。この第２のデフォルト待機画面３０ｂには、各機能ボタン３１〜３８のうち標準配列順の４番目から６番目までの３つの機能ボタン３４〜３６（つまりデジカメプリントボタン３４、クラウドボタン３５、及びレーベルプリントボタン３６）が表示される。
【００３２】
第２のデフォルト待機画面３０ｂが表示されている状態で、左スクロールボタン４３をタップすると、各機能ボタン３１〜３８の表示内容が左方向にスクロール（厳密には、機能ボタンが３つ左方向へずれるようにスクロール）して、図２の下段に示す第３のデフォルト待機画面３０ｃに切り替わる。この第３のデフォルト待機画面３０ｃには、各機能ボタン３１〜３８のうち標準配列順の７番目及び８番目の２つの機能ボタン３７，３８（つまりＡ３コピーボタン３７及び年賀状アプリボタン３８）が表示される。
【００３３】
第３のデフォルト待機画面３０ｃが表示されている状態で左スクロールボタン４３をタップすると、第１のデフォルト待機画面３０ａに切り替わる。逆に、第１のデフォルト待機画面３０ａが表示されている状態で右スクロールボタン４２をタップすると、第３のデフォルト待機画面３０ｃに切り替わる。また、第２のデフォルト待機画面３０ｂが表示されている状態で右スクロールボタン４２をタップすると第１のデフォルト待機画面３０ａに切り替わる。また、第３のデフォルト待機画面３０ｃが表示されている状態で右スクロールボタン４２をタップすると第２のデフォルト待機画面３０ｂに切り替わる。
【００３４】
デフォルト待機画面３０には、その右上隅に、メニューボタン４１が表示される。メニューボタン４１をタップすると、複合機１における各種の設定や確認を行うことができる。具体的には、メニューボタン４１をタップすると、図２に示すメニュー画面５０が表示される。メニュー画面５０には、メンテナンスボタン５１、Ｗｉ−Ｆｉボタン（「Ｗｉ−Ｆｉ」は登録商標。以下同様。）５２、カスタム切替ボタン５３、トレイ設定ボタン５４、みるだけ受信ボタン５５、及び全メニューボタン５６が表示される。メニュー画面５０に表示されている各ボタン５１〜５６の何れかをタップすることで、そのタップしたボタンに対応した動作を実行させることができる。例えば、Ｗｉ−Ｆｉボタン５２をタップすると、無線ＬＡＮの設定画面が表示されて、無線ＬＡＮに関する各種設定を行うことができる。また例えば、全メニューボタン５６をタップすると、複合機１におけるより詳細な設置を行うことが可能な画面に切り替わる。
【００３５】
メニュー画面５０に表示されているカスタム切替ボタン５３は、待機画面の設定をデフォルト待機画面３０からカスタム待機画面１００に切り替えるためのボタンである。待機画面は、製品出荷時には、デフォルト待機画面３０に設定されている。そして、工場出荷後、後述のアンケートが実行されると、待機画面はカスタム待機画面１００に設定される。
【００３６】
カスタム待機画面１００においても、図６に例示するように、メニューボタン４１、右スクロールボタン４２、及び左スクロールボタン４３が表示される。そして、カスタム待機画面１００のメニューボタン４１をタップすると、図７（ａ）に示すメニュー画面１２０が表示される。
【００３７】
デフォルト待機画面３０においてメニューボタン４１をタップしたときに表示される図３のメニュー画面５０（以下、「デフォルト設定時のメニュー画面５０」ともいう）と、カスタム待機画面１００においてメニューボタン４１をタップしたときに表示される図７（ａ）のメニュー画面１２０（以下「カスタム設定時のメニュー画面１２０」ともいう）とは、１箇所において異なる。すなわち、カスタム設定時のメニュー画面１２０では、デフォルト設定時のメニュー画面５０においてカスタム切替ボタン５３が表示される位置に、デフォルト切替ボタン１２１が表示される。
【００３８】
カスタム設定時のメニュー画面１２０は、待機画面がカスタム待機画面１００に設定されている場合に、カスタム待機画面１００中のメニューボタン４１をタップすると表示される。そして、カスタム設定時のメニュー画面１２０において、デフォルト切替ボタン１２１をタップすると、待機画面の設定がデフォルト待機画面３０に変更され、ＬＣＤ２１の表示内容もメニュー画面１２０からデフォルト待機画面３０に切り替わる。待機画面がデフォルト待機画面３０に設定されている間は、待機状態になると常にデフォルト待機画面３０（詳しくは第１のデフォルト待機画面３０ａ）が表示される。そして、デフォルト待機画面３０のメニューボタン４１をタップすると、図３に示す、デフォルト設定時のメニュー画面５０に切り替わる。
【００３９】
デフォルト設定時のメニュー画面５０において、カスタム切替ボタン５３をタップすると、待機画面の設定がカスタム待機画面１００に変更され、ＬＣＤ２１の表示内容もメニュー画面５０からカスタム待機画面１００に切り替わる。待機画面がカスタム待機画面１００に設定されている間は、待機状態になると常にカスタム待機画面１００（詳しくは第１のカスタム待機画面１００ａ）が表示される。
【００４０】
なお、後述するアンケートが一度も実行されておらずカスタム待機画面１００が一度も設定されたことがない場合に、デフォルト設定時のメニュー画面５０においてカスタム切替ボタン５３をタップすると、アンケートが開始される。
【００４１】
デフォルト待機画面３０に表示されている各機能ボタン３１〜３８の何れかをタップすると、そのタップした機能ボタンに対応した機能が実行される。例えばコピーボタン３２をタップした場合、待機画面に対する１階層下（以下「第１階層」という）の各種画面のうちコピーボタン３７に対応した第１階層の画面である、機能実行画面６０に切り替わる。コピー機能における機能実行画面６０には、図４（ａ）に示すように、コピー枚数を設定するための枚数設定ボタン６１、コピーに関する各種設定値を設定変更するための設定変更ボタン６２、モノクロコピーを開始させるためのモノクロスタートボタン６３、及びカラーコピーをスタートさせるためのカラースタートボタン６４が表示される。
【００４２】
設定変更ボタン６２をタップすると、更に１つ下の階層（以下「第２階層」という）の画面である、設定変更画面７０に切り替わる。コピー機能における設定変更画面７０には、画質設定ボタン７１、記録紙タイプ設定ボタン７２、記録紙サイズ設定ボタン７３、拡大縮小設定ボタン７４、等の各種の設定ボタンと、下スクロールボタン７５と、上スクロールボタン７６と、ＯＫボタン７７とが表示される。各スクロールボタン７５，７６をタップすることで、設定項目の表示内容をスクロールさせることができる。表示されている設定項目のボタンのうち何れかをタップすると、その設定項目の設定値を設定するための画面に切り替わる。例えば、画質設定ボタン７１をタップすると、コピー画質を設定するための画面に切り替わり、そこでコピー画質を設定変更することができる。ＯＫボタン７７をタップすると、機能実行画面６０に戻る。
【００４３】
各設定項目の各設定値の各デフォルト値は、それぞれ、出荷時には特定の標準値に設定されている。ただし、それら各デフォルト値は、後述するアンケートの結果によって、標準値とは異なるカスタム値に変更される場合がある。
【００４４】
デフォルト待機画面３０に表示されている各機能ボタン３１〜３８の何れかがタップされた場合に実行される処理の内容は、機能毎に機能実行情報としてプログラム化され、ＲＯＭ１２及びＮＶＲＡＭ１４の少なくとも一方に記憶されている。そして、何れかの機能ボタンがタップされると、その機能ボタンに対応した機能が、機能実行情報に基づいて実行される。例えばコピー機能に対する機能実行情報には、待機画面においてコピーボタン３２がタップされた場合に図４（ａ）の機能実行画面６０を表示させること、その機能実行画面６０において設定変更ボタン６２がタップされた場合に図４（ｂ）の設定変更画面７０を表示させること、その他コピー完了までに必要な処理の内容が含まれる。機能ボタンがタップされた場合に表示される機能実行画面の内容や、機能実行画面を含む下位階層の画面の数や種類は、機能毎に異なる。
【００４５】
（３）アンケートの説明
本実施形態の複合機１では、ユーザが購入後、最初に電源がオンされて起動したときに、各種の初期処理が実行される。初期処理の１つとして、初期導入パージがある。初期導入パージとは、印刷ヘッドのクリーニングであり、印刷ヘッドにインクを行き渡らせるために実施される。初期導入パージは、通常のヘッドクリーニングよりも時間がかかる。
【００４６】
初期導入パージが行われている間、それと並行して、初期処理として、トレイの設定や時刻設定などの各種の設定を実行することがユーザに促される。ユーザは、特定の設定手順に従って、必要な初期設定を行うことができる。そして、その初期処理の１つとして、本実施形態では、ユーザに対する、複合機１の使用頻度に関するアンケートが実行される。そして、アンケートの結果が、カスタム待機画面１００に反映される。
【００４７】
アンケートでは、特定の８種類の機能毎に個別に、その使用頻度が問われる。具体的には、アンケートが開始されると、機能毎に順次、アンケート画面が表示される。例えば、コピー機能については、図５（ａ）に例示するようなアンケート画面８０が表示される。なお、アンケート対象の８種類の機能は、デフォルト待機画面３０における各機能ボタン３１〜３８に対応した機能である。
【００４８】
図５（ａ）に例示するアンケート画面８０には、「Ｑ３．コピー機能はよく使いますか？」という質問内容と、その質問に対する選択肢として５つの選択肢のボタン８１〜８５が表示される。具体的には、選択肢のボタンとして、使用頻度が高い場合に選択すべきボタンである高頻度ボタン８１と、使用頻度が中程度の場合に選択すべきボタンである中頻度ボタン８２と、使用頻度が低い場合に選択すべきボタンである低頻度ボタン８３と、使用する予定がない場合に選択すべきボタンである不使用ボタン８４と、使用頻度が不明な場合に選択すべきボタンである不明ボタン８５とが表示される。高頻度ボタン８１には、「１．よく使う」というテキストが表示される。中頻度ボタン８２には、「２．使う」というテキストが表示される。低頻度ボタン８３には、「３．あまり使わない」というテキストが表示される。不使用ボタン８４には、「４．使わない」というテキストが表示される。不明ボタン８５には、「５．わからない」というテキストが表示される。
【００４９】
５つの選択肢の何れかがタップされると、そのタップされたボタンの左端のチェックボックスにチェックマークが付加される。チェックマークが付加されるのは、５つの選択肢のうち１つのみである。そして、何れかのボタンにチェックマークが付加された状態でＯＫボタン８６がタップされると、当該アンケート画面８０に対するアンケート結果がメモリ（本実施形態ではＮＶＲＡＭ１４）に記憶される。
【００５０】
アンケート画面８０において、戻るボタン８７がタップされると、当該アンケート画面８０が表示される直前に表示されていた画面に切り替わる。アンケート画面８０において、終了ボタン８８がタップされると、アンケート全体が強制終了される。
【００５１】
コピー機能以外の他の７種類の主機能についても、それぞれ、図５（ａ）に例示したアンケート画面８０と同様のアンケート画面が表示されて、使用頻度に関するアンケートが行われる。
【００５２】
また、機能によっては、使用頻度のアンケートに加えて、他のアンケートも実施されることがある。例えばコピー機能の場合、図５（ａ）に示した使用頻度に関するアンケートに対し、「１．よく使う」又は「２．使う」が選択された場合には、さらに、図５（ｂ）に例示する詳細問合せ画面９０が表示される。この詳細問合せ画面９０は、コピー機能に関し、その使用目的をユーザに問い合わせるための画面である。
【００５３】
図５（ｂ）に例示する詳細問合せ画面９０には、使用目的の選択肢として、３つの選択肢のボタン９１〜９３が表示される。具体的には、選択肢のボタンとして、主目的が仕事である場合に選択すべき仕事ボタン９１と、主目的が趣味である場合に選択すべき趣味ボタン９２と、主目的が仕事及び趣味のどちらでもない場合や不明な場合などに選択すべきその他ボタン９３とが表示される。３つの選択肢のうち何れかがタップされると、そのタップされたボタンの左端のチェックボックスにチェックマークが付加される。何れかのボタンにチェックマークが付加された状態でＯＫボタン９６がタップされると、当該詳細問合せ画面９０に対する回答結果がメモリに記憶される。
【００５４】
詳細問合せ画面９０において、戻るボタン９７がタップされると、図５（ａ）のアンケート画面８０に切り替わる。詳細問合せ画面９０において、終了ボタン９８がタップされると、アンケート全体が強制終了される。
【００５５】
使用頻度を問うアンケートの結果は、カスタム待機画面１００における各機能ボタンの表示方法、及び設定変更画面（図４（ｂ）参照）における設定項目の表示数や表示順序に反映される。
【００５６】
使用目的を問うアンケートの結果は、各設定値の各デフォルト値に反映される。即ち、各設定値の各デフォルト値が、使用目的を問うアンケートの結果に応じたカスタム値に設定される。例えば、コピー機能に対するアンケートに対して、主目的が仕事であると回答した場合には、各設定値の各デフォルト値を、グラフ入りの文字文書に最適化された値（仕事用カスタム値）とする。また例えば、主目的が趣味であると回答した場合には、各設定値の各デフォルト値を、写真印刷に最適化された値（趣味用カスタム値）とする。
【００５７】
なお、アンケート開始時には、アンケートの内容や目的に関する説明と、アンケートを実施するかどうかをユーザに問うための画面が表示される。そして、アンケートを実施することが選択された場合に、アンケートが開始される。
【００５８】
（４）カスタム待機画面の説明
次に、アンケートの結果に基づいて設定されるカスタム待機画面について、図６を用いて説明する。使用頻度に関するアンケートにおいて、「１．よく使う」が選択された場合は、カスタム待機画面に機能ボタンを表示させる際の優先度が最も高い「高」に設定される。「２．使う」が選択された場合は、優先度が「高」の１つ下である「中」に設定される。「３．あまり使わない」が選択された場合は、優先度が「中」の１つ下である「低」に設定される。「５．わからない」が選択された場合は、優先度が最も低い「最低」に設定される。「４．使わない」が選択された場合は、当該機能の機能ボタンはカスタム待機画面には表示させないようにする。
【００５９】
このようにして、８種類の機能それぞれについて、アンケートの結果に基づいて、優先度が設定される。そして、カスタム待機画面では、設定された優先度の高い順に、機能ボタンが左から右方向へ配列される。なお、同じ優先度の機能が複数ある場合は、これら複数の機能の機能ボタンについては、デフォルト待機画面３０における標準配列順に従った順序で配列される。
【００６０】
図６に、カスタム待機画面の一例を示す。図６に示すカスタム待機画面１００は、使用頻度を問うアンケートに対して、ファクス機能及びクラウド機能については「４．使わない」が選択され、レーベルプリント機能については「１．よく使う」が選択され、コピー機能及びスキャン機能については「２．使う」が選択され、デジカメプリント機能については「３．あまり使わない」が選択された場合のカスタム待機画面である。
【００６１】
上記例では、アンケートの結果、レーベルプリント機能の優先度が「高」、コピー機能及びスキャン機能の優先度が「中」、デジカメプリント機能の優先度が「低」に設定される。コピー機能及びスキャン機能は優先度が同じであるが、標準配列順においてはコピー機能の方がスキャン機能よりも先に配列される。そのため、カスタム待機画面１００では、レーベルプリントボタン１０１、コピーボタン１０２、スキャンボタン１０３、デジカメプリントボタン１０４の順に、左（先頭側）から右（末尾側）へと各機能ボタンが配列される。
【００６２】
また、上記例では、アンケートにおいて２つの機能に対して「４．使わない」が選択され、こられ２つの機能に対応した機能ボタンはカスタム待機画面１００には表示されない。このように、アンケートの結果、何れか１つでも機能ボタンが表示されなくなった場合は、配列順の末尾に、デフォルト切替ボタン１０５が配置される。このデフォルト切替ボタン１０５は、図７（ａ）に例示したカスタム設定時のメニュー画面１２０に表示されるデフォルト切替ボタン１２１と全く同じ機能のボタンである。つまり、デフォルト切替ボタン１０５がタップされると、待機画面の設定がカスタム待機画面からデフォルト待機画面に切り替わる。
【００６３】
待機画面が図６に示すカスタム待機画面１００に設定されている場合、他の画面からこのカスタム待機画面１００に切り替わったときに最初に表示されるのは、図６の上段に示す第１のカスタム待機画面１００ａである。この第１のカスタム待機画面１００ａには、機能ボタンとして、優先度が１〜３番目の、レーベルプリントボタン１０１、コピーボタン１０２、及びスキャンボタン１０３がこの順に配列された状態で表示される。
【００６４】
第１のカスタム待機画面１００において左スクロールボタン４３をタップすると、機能ボタンの表示内容が左方向にスクロール（厳密には、機能ボタンが３つ左方向へずれるようにスクロール）して、図６の下段に示す第２のカスタム待機画面１００ｂに切り替わる。この第２のカスタム待機画面１００ｂには、優先度が４番目のデジカメプリントボタン１０４及びデフォルト切替ボタン１０５がこの順に配列された状態で表示される。第２のカスタム待機画面１００ｂにおいて右スクロールボタン４２をタップすると、第１のカスタム待機画面１００ａに切り替わる。第１のカスタム待機画面１００ａにおいて右スクロールボタン４２をタップすると、第２のカスタム待機画面１００ｂに切り替わる。
【００６５】
カスタム待機画面１００において、メニューボタン４１をタップすると、図７（ａ）に例示するような、カスタム設定時のメニュー画面１２０に切り替わる。なお、カスタム設定時のメニュー画面１２０に表示させるボタンの種類や配置は適宜決めることができる。
【００６６】
例えば、カスタム待機画面１００自体に図６に示すようにデフォルト切替ボタン１０５が表示される場合は、メニュー画面１２０にはデフォルト切替ボタン１２１を表示させないようにしてもよい。また例えば、図７（ｂ）に例示するメニュー画面１３０のように、アンケートを実行させるためのアンケートボタン１３１を設けるようにしてもよい。アンケートボタン１３１がタップされると、アンケートが実行され、カスタム待機画面１００の内容がそのアンケートの結果に応じて更新される。このアンケートボタン１３１は、図３に示したデフォルト設定時のメニュー画面５０にも設けてもよい。ボタンの数が７個以上ある場合は、図７（ｂ）に例示するように右スクロールボタン１３２及び左スクロールボタン１３３を設けて、画面を左右方向にスクロールできるようにしてもよい。
【００６７】
カスタム待機画面１００において何れかの機能ボタンをタップすると、デフォルト待機画面３０の場合と同様、図４（ａ）を用いて説明したように、第１階層の機能実行画面が表示される。その機能実行画面に表示されている設定変更ボタンをタップすると、図４（ｂ）を用いて説明したように、第２階層の設定変更画面が表示される。
【００６８】
カスタム待機画面１００から２階層下の設定変更画面に切り替わった場合、その設定変更画面の内容（具体的には設定項目の種類や配列順）は、アンケートの結果に応じた内容となる。
【００６９】
例えば、アンケートにおいて「１．よく使う」が選択された機能に対する設定変更画面は、表示対象の全ての設定項目が特定の順序で配列された詳細画面となる。アンケートにおいて「２．使う」が選択された機能に対する設定変更画面は、表示対象の全ての設定項目のうち特定の設定項目が省略されて配列された第１の簡易画面となる。アンケートにおいて「３．あまり使わない」が選択された機能に対する設定変更画面は、表示対象の全ての設定項目のうち上記第１の簡易画面よりもさらに設定項目が省略された第２の簡易画面となる。アンケートの結果に応じて各簡易画面においてどの設定項目をどのような順で配列させるかについては、適宜決めることができる。
【００７０】
アンケートの結果、８種類の機能のうち１つを除く７種類の機能が全て「４．使わない」が選択されると、カスタム待機画面に表示させるべき機能ボタンは１つのみとなる。その場合、本実施形態では、その１つの機能ボタンが表示されたカスタム待機画面が表示されるのではなく、その１つの機能ボタンに対応した第１階層の機能実行画面がはじめからカスタム待機画面として表示される。ただし、このような方法はあくまでも一例であり、例えば、その１つの待機ボタンをカスタム待機画面に表示させてもよいし、その１つの機能ボタンに関連する特定の内容の画面を別途用意しておいてその画面をカスタム待機画面として表示させるようにしてもよい。
【００７１】
（５）アンケート処理の説明
次に、複合機１の電源がオンされてＣＰＵ１１が起動した後にＣＰＵ１１により実行される各処理のうち、アンケートの実行及びその結果の反映にかかわる処理であるアンケート処理について、図８を用いて説明する。図８に示すアンケート処理は、ＣＰＵ１１が実行する各処理のうち、特に初期処理におけるアンケート実行及びその結果反映にかかわる処理の一部を抜粋したものである。
【００７２】
ＣＰＵ１１は、起動後、図８のアンケート処理を開始すると、Ｓ１１０で、今回の起動が購入後最初の電源オンによる起動であるか否か判断する。最初の電源オンによる起動ではない場合は（Ｓ１１０：ＮＯ）、Ｓ１８０に進み、デフォルト待機画面及びカスタム待機画面のうち現在設定されている待機画面を表示させる。
【００７３】
最初の電源オンによる起動である場合は（Ｓ１１０：ＹＥＳ）、Ｓ１２０で、アンケートの説明画面を表示させる。この説明画面は、アンケートの内容や目的に関する説明と、アンケートを実施するかどうかをユーザに問うための画面である。この説明画面において、ユーザによる、アンケートの実施有無の回答を受け付ける。
【００７４】
Ｓ１３０では、アンケートを開始してよいか否か判断する。Ｓ１２０で表示させた説明画面に対してユーザからアンケートを実施しない旨の回答がなされた場合は、アンケートを開始してはならないと判断して（Ｓ１３０：ＮＯ）、Ｓ１７０に進む。Ｓ１７０では、待機画面をデフォルト待機画面に設定して、Ｓ１８０に進む。
【００７５】
Ｓ１２０で表示させた説明画面に対してユーザからアンケートを実施する旨の回答がなされた場合は、アンケートを開始してよいと判断して（Ｓ１３０：ＹＥＳ）、Ｓ１４０のアンケート実行処理に進む。
【００７６】
Ｓ１４０のアンケート実行処理の詳細は、図９に示す通りである。図９に示すように、アンケート実行処理に移行すると、Ｓ２１０で、機能変数ｎを１に設定する。Ｓ２２０では、アンケートが完了したか否か判断する。具体的には、機能変数ｎが、アンケート対象の機能数Ｎ（本実施形態ではＮ＝８）を越えているか否か判断する。機能変数ｎが機能数Ｎを越えている場合は（Ｓ２２０：ＹＥＳ）、アンケートが完了しているということであるため、アンケート実行処理を終了してＳ１５０（図８）のアンケート結果適用処理に進む。
【００７７】
機能変数ｎが機能数Ｎ以下の場合は（Ｓ２２０：ＮＯ）、Ｓ２３０に進み、機能ｎについてのアンケート画面を表示させる。なお、本実施形態では、アンケート対象の８種類の機能に対して、１〜８の機能番号が便宜的に付与されている。例えば、ファクス機能は機能１、コピー機能は機能２、スキャン機能はコピー３、というように、標準配列順に１〜８まで機能番号が付与されている。Ｓ２３０では、８種類の各機能のうち、機能ｎ（即ち機能番号がｎの機能）について、その使用頻度を問うアンケート画面（図５（ａ）参照）を表示させる。
【００７８】
Ｓ２４０では、アンケート画面に対してユーザの回答入力（具体的にはアンケート画面に対する入力操作）があったか否かを判断する。ユーザの回答入力がない場合は（Ｓ２４０：ＮＯ）、Ｓ２８０で、タイムアウトしたか否か、即ちＳ２３０でアンケート画面を表示させてから特定の待機時間が経過したか否か判断する。タイムアウトしていない場合は（Ｓ２８０：ＮＯ）、Ｓ２４０に戻る。タイムアウトした場合は（Ｓ２８０：ＹＥＳ）、Ｓ２９０で、アンケートに対する回答が得られていない残りの全ての機能に対しては「５．わからない」と回答されたものと扱って、アンケート結果をメモリに記憶する。
【００７９】
Ｓ２４０で、ユーザの回答入力があった場合は（Ｓ２４０：ＹＥＳ）、Ｓ２５０に進む。Ｓ２５０では、回答入力の内容がアンケートの終了指示であるか否か判断する。アンケートの終了指示とは、アンケート画面における終了ボタンがタップされることである。回答入力の内容がアンケートの終了指示である場合は（Ｓ２５０：ＹＥＳ）、Ｓ２９０の処理に進む。回答入力の内容がアンケートの終了指示ではない場合、即ち５種類の選択肢のうち何れかが選択されてＯＫボタンがタップされた場合は（Ｓ２５０：ＮＯ）、Ｓ２６０に進む。
【００８０】
Ｓ２６０では、機能ｎについてのアンケート結果をメモリに記憶する。Ｓ２７０では、機能変数ｎをインクリメントする。Ｓ２７０の処理後は、Ｓ２２０に戻り、機能変数ｎが８を越えるまで（即ち、８種類の機能全てについてアンケートが実施されるまで）、Ｓ２２０以下の処理が繰り返される。図９のアンケート実行処理の後は、Ｓ１５０（図８）に進む。
【００８１】
Ｓ１５０のアンケート結果適用処理の詳細は、図１０に示す通りである。図１０に示すように、アンケート結果適用処理に移行すると、Ｓ３１０で、機能変数ｎを１に設定する。Ｓ３２０では、８種類の機能全てについてアンケート結果の適用が完了したか否か判断する。具体的には、機能変数ｎが機能数Ｎを越えているか否か判断する。機能変数ｎが機能数Ｎを越えている場合は（Ｓ３２０：ＹＥＳ）、アンケート結果の適用が完了しているということであるため、アンケート結果適用処理を終了してＳ１６０（図８）に進む。機能変数ｎが機能数Ｎ以下の場合は（Ｓ３２０：ＮＯ）、Ｓ３３０に進み、機能ｎに対するアンケート結果を処理対象に設定する。ここでいう処理対象とは、Ｓ３４０，Ｓ３６０，Ｓ３８０，Ｓ４００の各判断処理における処理対象を意味する。
【００８２】
Ｓ３４０では、アンケート結果が「１．よく使う」であるか否か判断する。アンケート結果が「１．よく使う」である場合は（Ｓ３４０：ＹＥＳ）、Ｓ３５０に進む。Ｓ３５０では、カスタム待機画面における機能ｎの優先度（機能ボタンの配列順）を「高」に設定して、Ｓ４４０に進む。アンケート結果が「１．よく使う」ではない場合は（Ｓ３４０：ＮＯ）、Ｓ３６０に進む。
【００８３】
Ｓ３６０では、アンケート結果が「２．使う」であるか否か判断する。アンケート結果が「２．使う」である場合は（Ｓ３６０：ＹＥＳ）、Ｓ３７０に進む。Ｓ３７０では、カスタム待機画面における機能ｎの優先度を「中」に設定して、Ｓ４４０に進む。アンケート結果が「２．使う」ではない場合は（Ｓ３６０：ＮＯ）、Ｓ３８０に進む。
【００８４】
Ｓ３８０では、アンケート結果が「３．あまり使わない」であるか否か判断する。アンケート結果が「３．あまり使わない」である場合は（Ｓ３８０：ＹＥＳ）、Ｓ３９０に進む。Ｓ３９０では、カスタム待機画面における機能ｎの優先度を「低」に設定して、Ｓ４４０に進む。アンケート結果が「３．あまり使わない」ではない場合は（Ｓ３８０：ＮＯ）、Ｓ４００に進む。
【００８５】
Ｓ４００では、アンケート結果が「４．使わない」であるか否か判断する。アンケート結果が「４．使わない」である場合は（Ｓ４００：ＹＥＳ）、Ｓ４１０に進む。Ｓ４１０では、機能ｎの機能ボタンをカスタム待機画面の表示対象から省く。Ｓ４２０では、カスタム待機画面における配列順の最後尾に、デフォルト切替ボタンを配置する。Ｓ４２０の処理後はＳ４４０に進む。
【００８６】
アンケート結果が「４．使わない」ではない場合（Ｓ４００：ＮＯ）、即ちアンケート結果が「５．わからない」である場合は、Ｓ４３０に進む。Ｓ４３０では、カスタム待機画面における機能ｎの優先度を「最低」に設定して、Ｓ４４０に進む。
【００８７】
Ｓ４４０では、機能変数ｎをインクリメントして、Ｓ３２０に戻る。そして、機能変数ｎが８を越えるまで（即ち、８種類の機能全てについてアンケート結果が適用されるまで）、Ｓ３３０以下の処理が繰り返される。図１０のアンケート結果適用処理の後は、Ｓ１６０（図８）に進む。Ｓ１６０では、待機画面をカスタム待機画面に設定する。
【００８８】
本実施形態の複合機１では、基本的には、購入後最初に電源がオンされて起動したときの初期処理としてアンケートが実施され、その後は実施されることはない。ただし、図７（ｂ）に例示したように、メニュー画面にアンケートボタン１３１が配置されている場合は、そのアンケートボタン１３１をタップすることでアンケートを再実施させることができる。また、初期処理においてアンケートが実施されなかった場合は、デフォルト設定時のメニュー画面５０（図３参照）に表示されるカスタム切替ボタン５３をタップすることで、アンケートを実施させることができる。
【００８９】
なお、Ｓ１３０でアンケートを開始してはいけないと判断された場合、即ちユーザによりアンケートを実施しないことが選択された場合は、８種類の全ての機能について「１．よく使う」と回答されたものとして取り扱い、待機画面として、その回答結果が反映されたカスタム待機画面に設定するようにしてもよい。この場合、設定上はカスタム待機画面ではあるものの、結果としてはデフォルト待機画面と同じ待機画面が表示されることになる。
【００９０】
（６）実施形態の効果
以上説明した本実施形態の複合機１によれば、デフォルト待機画面に表示される８種類の機能に対する使用頻度のアンケートが行われ、そのアンケートの結果に基づいてカスタム待機画面の内容が決定される。カスタム待機画面は、機能毎の使用頻度のアンケート結果が反映された待機画面である。そのため、ユーザの使用頻度が反映された、ユーザにとって使い勝手の良いカスタム待機画面を表示させることが可能となる。
【００９１】
使用頻度に関するアンケートの選択肢として、「４．使わない」という選択肢がある。ユーザがこの選択肢を選択すると、カスタム待機画面には該当する機能の機能ボタンが表示されなくなる。ユーザが使用しない機能の機能ボタンが待機画面に表示されても、その機能ボタンはユーザにとっては不要である。そのため、そのような機能についてはアンケートにおいて「４．使わない」を選択することで、カスタム待機画面の内容を簡素化でき、ユーザは、使用したい機能を効率的に探して選択することができる。
【００９２】
また、使用する機能に対し、ユーザは、アンケートにおいて、「１．よく使う」、「２．使う」、「３．あまり使わない」という、使用頻度のレベルが異なる複数の選択肢の中から、自身の使用頻度に該当する選択肢を選択することができる。そして、選択した使用頻度のレベルに応じて機能ボタンの優先度が設定され、カスタム待機画面では、優先度が高い順に機能ボタンが配列される。
【００９３】
このように、優先度が高い順に機能ボタンが配列されることで、ユーザは、自身の使用頻度の高い機能の機能ボタンを迅速且つ効率的に見つけることができ、ひいてはその機能を迅速に実行させることができる。特に、本実施形態の複合機１は、ＬＣＤ２１の表示領域があまり広くはなく、同時に表示可能な機能ボタンの数は最大で３つである。そのため、所望の機能ボタンが表示されていない場合は、ユーザは、画面を左右方向にスクロールさせて画面を切り替えながら所望の機能ボタンを探す必要がある。これに対し、本実施形態では、よく使う機能の機能ボタンを配列順の先頭側に配置させることができる。そして、少なくとも、使用頻度が相対的に最も高い３つの機能ボタンについては、カスタム待機画面が表示される際に最初に表示させることができる。そのため、本発明は、画面の表示領域が小さくて同時に表示可能な機能画像の数が少ないほどより効果が発揮される。
【００９４】
本実施形態の複合機１では、アンケートに答えることによって待機画面がカスタム待機画面に設定されるが、カスタム待機画面からデフォルト待機画面に設定変更することができる。逆に、デフォルト待機画面からカスタム待機画面に設定変更することもできる。
【００９５】
そのため、例えば、カスタム待機画面に設定したものの、カスタム待機画面に表示されていない機能を使いたくなった場合は、デフォルト待機画面に切り替えてその機能を選択することができる。
【００９６】
また、アンケートにおいて、８種類の機能のうち１つを除く７種類の機能が全て「４．使わない」が選択された場合、カスタム待機画面として、「４．使わない」が選択されなかった１つの機能ボタンに対応した第１階層の機能実行画面がはじめからカスタム待機画面として表示される。そのため、ユーザは、使用する機能が１つしかない場合には、その旨をアンケートで回答することで、待機画面として初めからその機能の機能実行画面を表示させることができる。これにより、待機画面においてその機能の機能ボタンを選択する手間を省くことができ、且つ、その機能を迅速に使用することができる。
【００９７】
ユーザが複合機１を購入後、最初に電源をオンして起動させたとき、各種の初期処理が実行されるが、その初期処理の１つとして、アンケートが実行される。そのため、ユーザは、複合機１の使用開始時からすぐに自分に合ったカスタム待機画面を表示させることができる。なお、アンケートを含む初期処理と並行して、初期導入パージも行われる。換言すれば、初期導入パージが行われている期間を有効利用すべく、その初期導入パージの実行中に並行して初期処理が行われるように構成されている。
【００９８】
アンケートは、上述した初期処理として実行されるだけでなく、ユーザからの要求に応じて任意に実行させることもできる。具体的には、本実施形態では、メニュー画面に表示されるアンケートボタンをタップすることでアンケートを実行させることができる。そのため、例えばユーザが現在のカスタム待機画面の内容を変えたいと思った場合、アンケートボタンをタップすることで、カスタム待機画面を更新することができる。また例えば、初期処理時にアンケートを行わないと回答したことによりカスタム待機画面が生成されていない場合に、カスタム待機画面を生成したくなった場合も、アンケートボタンをタップすることで、カスタム待機画面を生成することができる。
【００９９】
なお、本実施形態において、複合機１は本発明の機能実行装置の一例に相当する。ＬＣＤ２１は本発明の表示部の一例に相当する。ＣＰＵ１１は本発明の制御部の一例に相当する。ＲＯＭ１２及びＮＶＲＡＭ１４は本発明の記憶部の一例に相当する。機能ボタン３１〜３８，１０１〜１０４は本発明の機能画像の一例に相当する。カスタム待機画面１００は本発明の第１画面の一例に相当する。デフォルト待機画面３０は本発明の第２画面の一例に相当する。カスタム待機画面１００のデフォルト切替ボタン１０５のタップ、及びメニュー画面１２０のデフォルト切替ボタン１２１のタップは、本発明の標準化指示の一例に相当し、これらデフォルト切替ボタン１０５，１２１のタップ操作を受け付ける処理は本発明の標準化指示処理に相当し、これらデフォルト切替ボタン１０５，１２１のタップ操作に基づいて待機画面をデフォルト待機画面３０に設定する処理は本発明の第２決定処理の一例に相当する。メニュー画面５０のカスタム切替ボタン５３のタップは、本発明の切替指示の一例に相当し、そのカスタム切替ボタン５３のタップ操作を受け付ける処理は本発明の切替指示処理の一例に相当し、そのカスタム切替ボタン５３のタップ操作に基づいて待機画面をカスタム待機画面１００に設定する処理は本発明の表示切替処理の一例に相当する。図８のＳ１８０は本発明の表示制御処理の一例に相当する。図８のＳ１４０は本発明の問合せ処理及び頻度取得処理の一例に相当する。図８のＳ１５０は本発明の設定処理の一例に相当する。図８のＳ１６０は本発明の第１決定処理の一例に相当する。図８のＳ１７０は本発明の第２決定処理の一例に相当する。
【０１００】
［他の実施形態］
（１）アンケートにおいて「５．わからない」と回答された機能がある場合、カスタム待機画面において当該機能の機能ボタンがタップされた場合は、その機能について、使用頻度や使用目的などに関するアンケートを再び行って、そのアンケートの結果に基づいてカスタム待機画面の内容を更新するようにしてもよい。
【０１０１】
（２）アンケートにおいて「４．使わない」と回答された機能がある場合、カスタム待機画面に、該当する機能の機能ボタンを非表示状態から表示状態に戻すためのボタンを表示させ、そのボタンがタップされた場合にはそのボタンに対応した機能の機能ボタンを表示させるようにしてもよい。
【０１０２】
（３）アンケートにおいてどのような内容の質問を行うか、アンケートにおいて質問に対する回答の選択肢の種類や数をどのようにするか、アンケートの結果に応じてカスタム待機画面やメニュー画面をどのように構成するか、などについては、適宜決めることができる。
【０１０３】
また、アンケートの結果をどの画面まで反映させるか（例えば、どの機能に反映させるか、何階層下の画面まで反映させるか、など）についても、適宜決めることができる。つまり、画面の種類や階層にかかわらず、ユーザの使用頻度や使用目的、使用の際の癖、好みなどの様々な情報をアンケートによって取得し、その結果が反映された各種画面を構築して表示させるようにしてもよい。
【０１０４】
（４）アンケートは、ＬＣＤ２１に質問内容を表示させて行うことは必須ではない。他の方法を用いてユーザへ質問を投げかけるようにしてもよい。例えば、音声ガイダンスによって質問をおこなってもよい。質問に対するユーザの回答方法も、タッチパネル２２へのタップに限定されるものではなく、他の方法を採用してもよい。例えば、ユーザが言葉を発してその音声を複合機１に取り込み、音声認識処理を行うことで回答内容を判別するようにしてもよい。
【０１０５】
（５）その他、本発明は、上記の実施形態に示された具体的手段や構造等に限定されるものではなく、本発明の要旨を逸脱しない範囲において種々の形態を採り得る。例えば、上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【０１０６】
［他の技術思想］
ここまで、待機画面をカスタマイズする方法として、ユーザの使用頻度や使用目的などのアンケートを機能毎に行ってその結果に応じて機能ボタンの配列順や表示の有無を決定する方法を説明したが、他の方法でカスタマイズを行ってもよい。また、カスタマイズの対象は、待機画面に限らず、その下位階層の画面や他の画面に広げてもよい。
【０１０７】
例えば、ユーザのＩＴリテラシーを判断し、そのＩＴリテラシーに合わせた画面を表示させるようにしてもよい。なお、ＩＴリテラシーとは、既知の通り、ＩＴ（情報技術）を使いこなす能力のことを意味する。
【０１０８】
ユーザのＩＴリテラシーを具体的にどのように判断するかについては種々の方法が考えられる。例えば、ユーザの入力操作を伴う初期処理にどの程度の時間を要したか、また初期処理時のユーザ操作において間違った操作がどの程度なされたか、初期処理時に表示されるヘルプボタンが何回押されたか、などによって判断することができる。初期処理に要した時間が長い程、ＩＴリテラシーが低いと判断できる。また、間違った操作が少ないほど、ＩＴリテラシーが高いと判断できる。また、ヘルプボタンが押された回数が多いほどＩＴリテラシーが低いと判断できる。
【０１０９】
ＩＴリテラシーが低いと判断された場合は、例えば、待機画面に表示させる機能ボタンの数を、いくつかの基本的な機能に絞るようにしてもよい。その場合、例えばデフォルト切替ボタンを表示させて、そのデフォルト切替ボタンがタップされたら標準的なデフォルト待機画面に切り替えるようにしてもよい。
【符号の説明】
【０１１０】
１…複合機、１１…ＣＰＵ、１２…ＲＯＭ、１３…ＲＡＭ、１４…ＮＶＲＡＭ、１５…画像読取部、１６…画像形成部、１７…操作パネル部、１８…メモリカードＩ／Ｆ、１９…ネットワーク通信部、２０…電話通信部、２１…液晶ディスプレイ、２２…タッチパネル、２３…内照式表示部、２４…ホームキー、３０（３０ａ，３０ｂ，３０ｃ）…デフォルト待機画面、３１〜３８，１０１〜１０４…ファクスボタン、４１…メニューボタン、４２…右スクロールボタン、４３…左スクロールボタン、５０，１２０，１３０…メニュー画面、５３…カスタム切替ボタン、６０…機能実行画面、７０…設定変更画面、８０…アンケート画面、８１…高頻度ボタン、８２…中頻度ボタン、８３…低頻度ボタン、８４…不使用ボタン、８５…不明ボタン、８６，９６…ＯＫボタン、８７，９７，…戻るボタン、８８，９８…終了ボタン、９０…詳細問合せ画面、９１…仕事ボタン、９２…趣味ボタン、９３…他ボタン、１００（１００ａ，１００ｂ）…カスタム待機画面、１０５，１２１…デフォルト切替ボタン、１３１…アンケートボタン。
【図１】
2015228087.tif 000003
【図２】
2015228087.tif 000004
【図３】
2015228087.tif 000005
【図４】
2015228087.tif 000006
【図５】
2015228087.tif 000007
【図６】
2015228087.tif 000008
【図７】
2015228087.tif 000009
【図８】
2015228087.tif 000010
【図９】
2015228087.tif 000011
【図１０】
2015228087.tif 000012